(57)【要約】  本発明の目的は、軸流機械のステータ上に簡単な巻線構造を提供し、追加の構造的手段による材料の他の通常の使用を同時に最小化することである。ディスクロータ及び軸流型回転電気機械は、永久磁石を備える少なくとも２つのディスク状のロータ（１）からなる。ロータ（１）の間には、軸方向に配置されたコイル（４）を有するステータ２が設けられ、ロータ（４）はロータ（１）の永久磁石（３）に対応する。シャフト（５）はステータ（２）に取り付けられ、シャフト（５）はロータ（１）の外側にあるステータディスク（６）に追加的に取り付けられている。ロータはシャフト（５）に固定され、ステータ（２）又はステータディスク（６）はベース又はハウジング（９）に固定される。【選択図】なし
2018506958.tif 000002
【特許請求の範囲】
【請求項１】
永久磁石を備える少なくとも２つのディスク状のロータ（１）間において、
前記ロータ（１）の前記永久磁石（３）間に軸方向に配置され、前記永久磁石（３）に対応するコイル（４）を有するステータ（２）が設けられ、
前記ステータ（２）は当該ステータ（２）に取り付けられたシャフト（５）を中央に有し、及び／又は、前記シャフト（５）は前記ロータ（１）の外側に位置するステータディスク（６）に取り付けられ、
前記ロータ（１）が前記シャフト（５）及び前記ステータ（２）に固定されるか、又は、前記ステータ（２）及び前記ステータディスク（６）がベースプレート（９）又はハウジング（９）に固定されることを特徴とする、
ディスクロータ及び軸流型構造の回転電気機械。
【請求項２】
前記ステータ（２）の前記コイル（４）の数及び前記ロータ（１）上の前記永久磁石（３）の数は、３つの前記コイル（４）対４つの前記永久磁石（３）の比、又は、その整数倍であることを特徴とする、
請求項１に記載の回転電気機械。
【請求項３】
前記永久磁石（３）は、１、２又はそれ以上の円形路上に連続的に前記ロータ（１）に組み込まれ、
前記コイル（４）は、前記１又はそれ以上の円形路に対応するように配置されていることを特徴とする、
請求項１、２のいずれか１項に記載の回転電気機械。
【請求項４】
前記ロータ（１）は、非磁性ディスク（１）で構成されていることを特徴とする、
請求項１〜３のいずれか１項に記載の回転電気機械。
【請求項５】
前記永久磁石（３）は、前記ディスク（１）の上又は中に配置されている、
請求項１〜４のいずれか１項に記載の回転電気機械。
【請求項６】
前記ロータ（１）は、前記シャフト（５）に対して磁気的に絶縁されていることを特徴とする、
請求項１〜５のいずれか１項に記載の回転電気機械。
【請求項７】
磁性材料からなる別のディスク（７）及び／又はリング状ディスク（８）が、前記ステータ（２）とは反対側の前記ディスク（１）の面上に配置され、
前記別のディスク（７）及び前記リング状ディスク（８）は、前記シャフト（５）に対して磁気的に絶縁されていることを特徴とする、
請求項１〜６のいずれか１項に記載の回転電気機械。
【請求項８】
前記コイル（４）は、部分コイルの形態であることを特徴とする、
請求項１〜７のいずれか１項に記載の回転電気機械。
【請求項９】
２又はそれ以上の前記ステータ（２）は、当該ステータの前、間及び後に位置する前記ロータ（１）とともに配置され、
前記シャフト（５）は、前記ステータ（２）に取り付けられ、
前記ロータ（１）は、前記シャフト（５）に固定的に接続され、
前記ステータ（２）の数は、ｎに等しく、
前記ロータ（１）の数はｎ＋１に等しいことを特徴とする、
請求項１〜８のいずれか１項に記載の回転電気機械。
【発明の詳細な説明】
【技術分野】
【０００１】
永久磁石を備えたロータを有するディスクロータ及び軸流型構造の回転電気機械。
【背景技術】
【０００２】
多数のディスクロータ機械及び軸流機械が既に知られている。最も近い先行技術として、以下の文献が挙げられる。独国特許出願公開第１０３２２４７４号明細書には、軸方向エアギャップを横切って互いに対向して位置するステータとロータを有する軸流型構造の電気機械が記載されている。高いトルク密度を示す、構造スペースを節約する軸流型構造の電気機械の安価な製造のために、ステータは、所望の極数に応じた個数の平坦な極セグメントを有する極ディスクを備える。平らな極セグメントは等間隔に、ディスク表面上に扇状に分布し、磁気伝導性材料で構成され、当該ステータは、リターンヨークと共に極ディスクに割り当てられたリング状励磁巻線を有する。極セグメントのうち、連続する奇数番目の極セグメントと連続する偶数番目の極セグメントは、その都度、１つの磁気伝導性材料からなる結合部材によって互いに接続されている。ディスク状ロータは、ステータに面する平らな面に、軸方向に配置された永久磁石を備えている。
【０００３】
独国実用新案第２０２０１２０１２６５３号明細書には、同様に、ディスク状ステータが平らな両側面上に形成された平坦な巻線を有する、電気軸流機械が記載されている。当該平らな巻線は、平らなステータの周りを囲むように分布している。平坦な巻線は、ロータの軸に対して実質的に半径方向に位置する多数の花弁状の領域を含む。ステータの前後には、１つのディスク状ロータがその都度配置されている。ロータは、ステータに面する面に、永久磁石を備えている。
【０００４】
いずれの解決策も比較的複雑な巻き構造を示し、従って、高い製造コストを伴う。
【先行技術文献】
【特許文献】
【０００５】
【特許文献１】独国特許出願公開第１０３２２４７４号明細書
【特許文献２】独国実用新案第２０２０１２０１２６５３号明細書
【発明の概要】
【発明が解決しようとする課題】
【０００６】
従って、本発明の目的は、軸流機械のステータに簡単な巻線構造を提供すること、同時に、さらなる設計手段によって、他の点で共通の材料使用を減らすことである。
【課題を解決するための手段】
【０００７】
本発明で達成できる利点は、特に、巻線が非常に簡単な構成であり、技術的に完全に単純化されていないことにある。リターンヨークの省略により、機械の総質量が減少する。ロータを有するシャフトは、非常に低い慣性モーメントを示す。
【０００８】
本発明に係る回転電気機械及び本発明の有利な実施形態は、請求項１〜９に記載されている。
【０００９】
請求項２に係るさらなる発展は、ステータコイルの数とロータの永久磁石の数との有利な比が３対４の比であるか、又は、整数倍の比であり、永久磁石の数は有利には常に偶数であることを記載している。
【００１０】
請求項３によれば、永久磁石は連続的にロータに組み込まれている、すなわち、永久磁石の上面はロータの上面で終端しているか、又は、ロータの上面から僅かに突出している。ここで、永久磁石は、１、２又はそれ以上の円形路上のロータに組み込まれてもよく、ステータのコイルは、１又はそれ以上の円形路に対応するように配置される。このようにして、ロータのトルクが増大する。
【００１１】
請求項４によれば、ロータは、非磁性ディスクで構成されている。これにより、磁場が電気機械のシャフトまで伝播するのが防止される。
【００１２】
請求項５に係るさらなる発展においては、永久磁石は、ロータのディスクの上又は中に配置されている。これは、永久磁石の処理において技術的利点をもたらし得る。
【００１３】
請求項６によれば、ロータは、シャフトに対して磁気的に絶縁されている。これにより、電気機械の磁場がシャフトまで伝播することが防止される。
【００１４】
請求項７によれば、磁性材料からなる別のディスク及び／又はリング状ディスクが、ステータとは反対側のロータの面上に配置され、当該別のディスク及びリング状ディスクは、シャフトに対して磁気的に絶縁されている。ディスク又はリング状ディスクを介して、磁気リターンが可能になる。
【００１５】
請求項８によれば、ステータのコイルは、部分コイルの形態であり得る。これは、電気機械の特別な設計ソリューションにおいて、おそらく必要となるかもしれない。
【００１６】
請求項９によれば、２又はそれ以上のステータは、当該ステータの前、間及び後に位置するロータとともに配置され、シャフトはステータに取り付けられ、ロータは、シャフトに固定的に接続され、ステータの数は、ｎに等しく、ロータの数はｎ＋１に等しい。従って、１つの機械内で、１つのステータと２つのロータを有する電気機械に関連したトルク増加の結果で、複数のステータをロータと組み合わせることが可能である。
【００１７】
本発明の例示的な実施形態が図面に示されており、以下でより詳細に説明する。
【図面の簡単な説明】
【００１８】
【図１】回転電気機械の基本構成を側面図で示す。
【図２】永久磁石を備えたロータの側面図を示す。
【図３】フェライトコアを有するステータコイルの基本構成を示す。
【図４】３つの電気的に結合されたステータのステータコイルの可能な回路を図式的に示す。
【発明を実施するための形態】
【００１９】
図１は、３つのステータ２．１〜２．３及び４つのロータ１．１〜１．４を有する本発明にかかる電気機械を示す。ステータ２．１〜２．３はそれぞれ１２個のコイル４（図４も参照）を有し、ロータ１．１〜１．４はそれぞれ１６個の永久磁石３を有する。この例では、永久磁石はロータ１．１〜１．４に連続的に配置されている、すなわち、永久磁石３は、ロータ１．１〜１．４の表面と同一面で終端している。コイル４、永久磁石３は、それぞれロータ１．１〜１．４、ステータ２．１〜２．３の円形路上にその都度配置され、互いに対応する。シャフト５は、ステータ２．１〜２．３に取り付けられている。シャフト５は、追加的に、右及び左の外側に位置するステータディスク６に取り付けられてもよい。ステータ２．１〜２．３は、ベースプレート９に固定されている。コイル４は、好ましくはフェライト材料からなる円筒状のコアに巻回されている。コアの断面とコアの２つの端部は、既知の最適形状を形成するために円形から外れることがある。シャフト５に平行なコアを有するコイル４の配置は、軸方向の磁界を生じる。
【００２０】
ロータ１の磁石３は交互の極性を示す。永久磁石３の数は均一であることが好ましい。ロータ１．１〜１．４の永久磁石３とステータ２．１〜２．３のコイル４とは、それぞれの場合に同じ角度で同じ方向に互いに配置されている。
【００２１】
コイル４の回路構成は、典型的なブラシレス直流機械の回路構成と同様であってもよい。一例が図４に示されている。端子Ｒ、Ｓ及びＴは、第１ステータ２．１のコイルＬ１、Ｌ２及びＬ３の入力に配置されている。その出力は、それぞれ第２ステータ２．２の同じ位置に配置されたコイルＬ１３、Ｌ１４、Ｌ１５と直列に接続されている。その出力は、ステータ２．３の対応するコイルＬ２５、Ｌ２６、Ｌ２７の入力と直列に接続されている。Ｌ２５の出力はＬ４等の入力に接続される。従って、Ｒ、Ｓ及びＴ巻線のすべてのコイルは直列に接続される。Ｌ３４、Ｌ３５及びＬ３６の出力が互いに接続されている場合には、スター回路が形成される。図４は、デルタ回路に必要な接続を示している。電流方向及びＲＳＴ巻線へのコイル４の割当てを考慮して、対応して異なる内部抵抗を有する多数の異なる並列及び直列回路が可能である。
【００２２】
ステータ２．１の対応する電流によって、ロータ１．１にトルクが発生する。ロータ１．２の永久磁石３の本構成により、ロータは磁気リターンを提供する。逆に、ステータ２．１によってロータ１．２に同様にトルクが発生し、この目的のためにロータ１．１が磁気リターンを提供する。このプロセスは、ロータ１．２、ステータ２．２及びロータ１．３、図1の右側でさらに見られるように、ロータ１．３、ステータ２．３及びロータ１．４で繰り返される。
【００２３】
トルクを増加させるために、永久磁石３は１、２又はそれ以上の円形路上にロータ１に組み込まれ得る。コイル４は、ステータ２内に同様に配置され得る。個々の円形路の磁石3は、対応する円形路のコイル４に対応する。
【００２４】
ロータ１上の永久磁石３の数に対するステータ２のコイル４の数は、好ましくは、３つのコイル４対４つの永久磁石３の比、又は、その整数倍、例えば、９：１２の比又は１２：１６の比である。他の比率も考えられる。
【００２５】
磁性材料からなる別のディスク７及び／又はリング状ディスク８は、ステータ２とは反対側のディスク（１）の面に配置され得る。強い磁気リターンは、ディスク７又はリング状ディスク８によって実現される。ディスク７及びリング状ディスク８は、シャフト5に対して磁気的に絶縁されている。
【００２６】
コイル４はコイルコア上に非常に容易に巻回することができる。同様に、コイル４を互いに接続しても何ら問題はない。所望の詳細な設計ソリューションでは、コイル４は部分コイルから構成することもできる。
【符号の説明】
【００２７】
１  ロータ、ディスク
１．１  機械の第１ロータ
１．２  機械の第２ロータ
１．３  機械の第３ロータ
１．４  機械の第４ロータ
２  ステータ
２．１  機械の第１ステータ
２．２  機械の第２ステータ
２．３  機械の第３ステータ
３  永久磁石
４  コイル
５  シャフト
６  ステータディスク
７  ディスク
８  リング状ディスク
９  ベースプレート、ハウジング
【図１】
2018506958.tif 000003
【図２】
2018506958.tif 000004
【図３】
2018506958.tif 000005
【図４】
2018506958.tif 000006
【国際調査報告】
2018506958.tif 000007
2018506958.tif 000008
2018506958.tif 000009
2018506958.tif 000010